(57)【特許請求の範囲】
【請求項１】
目地部を介して建てられた左右の建物の目地部側の床躯体に排水可能に形成された、目地部側が上方に突出する水切片となる一対の目地プレート支持凹部と、この一対の目地プレート支持凹部の底面に所定間隔に固定された上面がほぼ水平面となる複数個の支持バーと、前記一対の目地プレート支持凹部および前記目地部を覆う両側部寄りの部位が前記一対の目地プレート支持凹部の複数個の支持バーに支持される支持片を有する目地プレートとからなることを特徴とする床用目地装置。
【請求項２】
目地部を介して建てられた左右の建物の目地部側の床躯体に排水可能に形成された、目地部側が上方に突出する水切片が形成され、反目地部側が順次上方へ突出する傾斜面に形成された一対の目地プレート支持凹部と、この一対の目地プレート支持凹部の底面に所定間隔に固定された上面がほぼ水平面となる複数個の支持バーと、前記一対の目地プレート支持凹部および前記目地部を覆う両側部寄りの部位が前記一対の目地プレート支持凹部の複数個の支持バーに水切り可能に支持される支持片を有する、地震等によって目地部が狭くなると両側部が左右の建物の床面上に乗り上がることができる目地プレートとからなることを特徴とする床用目地装置。
【請求項３】
目地部を介して建てられた左右の建物の目地部側の一方の床躯体に形成された、排水可能に形成された目地部側が上方に突出する水切片が形成され、反目地部側が順次上方へ突出する傾斜面に形成された目地プレート支持凹部と、この目地プレート支持凹部の底面に所定間隔に固定された上面がほぼ水平面となる複数個の支持バーと、前記凹部および前記目地部を覆う先端部寄りの部位が前記目地プレート支持凹部の複数個の支持バーに水切り可能に支持される支持片を有する後端部が他方の建物の床躯体に、先端部が上下方向に回動可能に取付けられた目地プレートとからなることを特徴とする床用目地装置。
【発明の詳細な説明】
【０００１】
【発明の属する技術分野】
本発明は目地部を介して建てられた左右の建物の床目地部を覆う床用目地装置に関する。
【０００２】
【従来の技術】
従来、この種の床用目地装置は左右の建物の目地部側の床躯体に目地部側が開口し、反目地部側が順次上方へ突出する傾斜面に形成された一対の目地プレート支持凹部と、この一対の目地プレート支持凹部および目地部を覆う両側部が該一対の目地プレート支持凹部の傾斜面と対応する傾斜面が形成された目地プレートとで構成されている。
【０００３】
【発明が解決しようとする課題】
従来の床用目地装置は雨水等の水が一対の目地プレート支持凹部内に浸入した場合、排水されず、目地プレートや床躯体を損傷させたり、劣化させてしまうという欠点があった。
【０００４】
本発明は以上のような従来の欠点に鑑み、目地プレート支持凹部内に雨水等が浸入しても、効率よく排水して、目地プレートや床躯体等の損傷や劣化を効率よく防止することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物の目地部側の床躯体に排水可能に形成された、目地部側が上方に突出する水切片となる一対の目地プレート支持凹部と、この一対の目地プレート支持凹部の底面に所定間隔に固定された上面がほぼ水平面となる複数個の支持バーと、前記一対の目地プレート支持凹部および前記目地部を覆う両側部寄りの部位が前記一対の目地プレート支持凹部の複数個の支持バーに支持される支持片を有する目地プレートとで床用目地装置を構成している。
【０００７】
【発明の実施の形態】
以下、図面に示す実施の形態より、本発明を詳細に説明する。
【０００８】
図１ないし図８に示す本発明の第１の実施の形態において、１は目地部２を介して建てられた左右の建物、本発明の実施の形態ではビル３とよう壁３Ａの床目地部を覆う本発明の床用目地装置で、この床用目地装置１は左右の建物であるビル３とよう壁３Ａの目地部２側の床躯体３ａ、３ａに排水可能に形成された、目地部側が上方に突出する水切片４、４が形成され、反目地部側が順次上方へ突出する傾斜面５、５に形成された一対の目地プレート支持凹部６、６と、この一対の目地プレート支持凹部６、６の底面に所定間隔に固定された上面がほぼ水平面となる複数個の支持バー７、７と、前記一対の目地プレート支持凹部６、６および前記目地部２を覆う両側部寄りの部位が前記一対の目地プレート支持凹部６、６の複数個の支持バー７、７に水切り可能に支持される支持片８、８を有する目地プレート９と、この目地プレート９の中央部を前記目地部２の中央部に常時位置させる中央維持装置１０とで構成されている。
【０００９】
前記一対の目地プレート支持凹部６、６は図４に示すように、床躯体３ａ、３ａに中央部が最下部に位置するように傾斜面１１、１２に形成された凹部本体１３と、この凹部本体１３の底面を覆うとともに、目地部側に水切片４、反目地部側に傾斜面５が形成された金属材製の支持板１４と、この支持板１４の最下部部位と連通するように所定間隔で形成された、前記床躯体３ａ、３ａに形成された孔１５、１５に挿入される配水管１６とで構成されている。
【００１０】
前記目地プレート９は図５に示すように、両側下部に支持片８、８が突出した四角形状の浅皿状に形成された目地プレート本体１７と、この目地プレート本体１７内にモルタルやコンクリート１８を充填して、表面に固定したタイルや化粧板等の床材１９と、前記目地プレート本体１７の両側部にヒンジ部材２０、２０を介して先端部が上下方向に回動可能に取付けられたカバープレート２１、２１と、前記目地プレート本体１７の一端部の中央部寄りの部位に外方へ突出するように形成された隣り合う目地プレート９、９間をシール剤２２でシールするためシール受け板２３とで構成されている。
【００１１】
前記中央維持装置１０は図６に示すように、両端部が目地部２側の床躯体３ａ、３ａにヒンジ部材２４、２４を介して取付けられた、四角枠が２個形成されたパンタグラフ形状のリンク機構２５と、このリンク機構２５の中央枢支部２６に上下移動可能に枢支された目地プレート９の中央部に固定された中央枢支ピン２７とで構成されている。
【００１２】
上記構成の床用目地装置１は目地プレート９等に雨水等が位置すると、目地プレート９から一対の目地プレート支持凹部６、６の支持板１４、１４上へ流れ、該支持板１４、１４より排水管１６、１６へ流出される。
【００１３】
地震等によって目地部２が広くなった場合には、図７に示すように目地プレート９の両端部の支持片８、８が複数個の支持バー７、７上をスライド移動して、その揺れ動きを吸収する。
また、目地部２が狭くなるように揺れ動いた場合には、図８に示すように一対の目地プレート支持凹部６、６の反目地部側の傾斜面５、５によって目地プレート９の両側部を上方へ押し上げて、その揺れ動きを吸収する。
なお、前述の目地プレート９の移動時には中央維持装置１０によって、目地プレート９の中央部は常時目地部２の中央部に維持されている。
【００１４】
【発明の異なる実施の形態】
次に、図９ないし図２０に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図９ないし図１１に示す本発明の第２の実施の形態において、前記本発明の第１の実施の形態と主に異なる点は、傾斜面５、５側に逆台形状の排水凹部２８、２８を一対の目地プレート支持凹部６Ａ、６Ａに形成するとともに、この一対の目地プレート支持凹部６Ａ、６Ａを金属材製の支持板１４Ａ、１４Ａで覆った点で、このように形成された一対の目地プレート支持凹部６Ａ、６Ａを用いて構成した床用目地装置１Ａにしても、前記本発明の第１の実施の形態と同様な作用効果が得られる。
【００１６】
図１２ないし図１４に示す本発明の第３の実施の形態において、前記本発明の第１の実施の形態と主に異なる点は、支持板を用いない一対の目地プレート支持凹部６、６に水切片４、４が固定された複数個の支持バー７、７を一対の目地プレート支持凹部６、６に固定した点で、このように構成した床用目地装置１Ｂにしても、前記本発明の第１の実施の形態と同様な作用効果が得られる。
なお、本発明の実施の形態では目地部２側の床躯体３ａ、３ａを水切片となるように一対の目地プレート支持凹部を形成してもよい。
【００１７】
図１５ないし図１７に示す本発明の第４の実施の形態において、前記本発明の第１の実施の形態と主に異なる点は、他方の床躯体３ａに目地プレート支持凹部２９を形成し、該目地プレート支持凹部２９に少なくとも２個以上のくさび状の支持体３０、３０を固定するとともに、目地プレート支持凹部２９に支持される目地プレート９Ａに前記支持体３０、３０が挿入された状態で、該目地プレート９Ａの先端部が上下方向に回動可能に支持される支持体挿入凹部３１、３１を形成した点で、このように構成した床用目地装置１Ｃにしてもよい。
なお、目地プレート９Ａをヒンジ部材等を用いて他方の躯体に回動可能に取付けてもよい。
【００１８】
図１８ないし図２０に示す本発明の第５の実施の形態において、前記本発明の第１の実施の形態と主に異なる点は、両側部が一対の目地プレート支持凹部６、６の傾斜面５、５と対応する傾斜面３２、３２に形成された目地プレート９Ｂを用いるとともに、四角枠形状のリンク機構２５Ａと、このリンク機構２５Ａの対向するバー部材２５ａ、２５ａの中央部に枢支ピン３３、３３で枢支された中央部に中央枢支部２６が形成された中央バー部材３４とからなる中央維持装置１０Ａとを用いた点で、このように構成した床用目地装置１Ｄにしても、前記本発明の第１の実施の形態と同様な作用効果が得られる。
【００１９】
なお、前記本発明の各実施の形態ではパンタグラフ形状の中央維持装置１０、１０Ａを用いるものについて説明したが、本発明はこれに限らず、目地プレート９、９Ａの中央部を目地部２の中央部に常時位置させる機構であれば、どんな機構であってもよい。
また、水切片４、４でも目地プレート９、９Ａ、９Ｂを支持できるようにしてもよい。
【００２０】
【発明の効果】
以上の説明から明らかなように、本発明にあっては次に列挙する効果が得られる。
【００２１】
（１）目地部を介して建てられた左右の建物の目地部側の床躯体に排水可能に形成された、目地部側が上方に突出する水切片となる一対の目地プレート支持凹部と、この一対の目地プレート支持凹部の底面に所定間隔に固定された上面がほぼ水平面となる複数個の支持バーと、前記一対の目地プレート支持凹部および前記目地部を覆う両側部寄りの部位が前記一対の目地プレート支持凹部の複数個の支持バーに支持される支持片を有する目地プレートとで構成されているので、目地プレートに雨水が浸入しても、目地プレートより一対の目地プレート支持凹部へ流出し、該一対の目地プレート支持凹部より外部へ排水することができる。
したがって、従来のように一対の目地プレート支持凹部内に雨水等が溜まり、目地プレートや床躯体を損傷させたり、劣化させたりする不具体を防止することができる。
【００２２】
（２）前記（１）によって、雨水等が一対の目地プレート支持凹部に溜まらないので、悪臭や虫等の発生を効率よく阻止でき、清潔に使用することができる。
【００２３】
（３）前記（１）によって、排水できるように一対の目地プレート支持凹部を形成するとともに、目地プレートが左右方向にスライド移動可能に支持するだけでよいので、構造が簡単で、容易に設置することができる。
【００２４】
（４）請求項２、３も前記（１）〜（３）と同様な効果が得られる。
【図面の簡単な説明】
【図１】本発明の第１の実施の形態の使用状態の説明図。
【図２】図１の２−２線に沿う拡大断面図。
【図３】図１の３−３線に沿う拡大断面図。
【図４】複数個の支持バーが固定された目地プレート支持凹部の説明図。
【図５】本発明の第１の実施の形態の目地プレートの説明図。
【図６】本発明の第１の実施の形態の中央維持装置の説明図。
【図７】本発明の第１の実施の形態の目地部が広くなった動作説明図。
【図８】本発明の第１の実施の形態の目地部が狭くなった動作説明図。
【図９】本発明の第２の実施の使用状態の説明図。
【図１０】図９の１０−１０線に沿う拡大断面図。
【図１１】複数個の支持バーが固定された目地プレート支持凹部の説明図。
【図１２】本発明の第３の実施の使用状態の説明図。
【図１３】図１２の１３−１３線に沿う拡大断面図。
【図１４】複数個の支持バーが固定された目地プレート支持凹部の説明図。
【図１５】本発明の第４の実施の使用状態の説明図。
【図１６】図１５の１６−１６線に沿う拡大断面図。
【図１７】本発明の第４の実施の目地部が狭くなった動作説明図。
【図１８】本発明の第５の実施の使用状態の説明図。
【図１９】図１８の１９−１９線に沿う拡大断面図。
【図２０】本発明の第５の実施の中央維持装置の説明図。
【符号の説明】
１、１Ａ、１Ｂ、１Ｃ、１Ｄ：床用目地装置、
２：目地部、            ３：建物としてのビル、
３Ａ：建物としてのよう壁、
４：水切片、            ５：傾斜面、
６、６Ａ：目地プレート支持凹部、
７：支持バー、          ８：支持片、
９、９Ａ、９Ｂ：目地プレート、
１０、１０Ａ：中央維持装置、
１１、１２：傾斜面、    １３：凹部本体、
１４、１４Ａ：支持板、  １５：孔、
１６：配水管、          １７：目地プレート本体、
１８：モルタルやコンクリート、
１９：床材、            ２０：ヒンジ部材、
２１：カバープレート、  ２２：シール剤、
２３：シール受け板、    ２４：ヒンジ部材、
２５、２５Ａ：リンク機構、
２６：中央枢支部、      ２７：中央枢支ピン、
２８：排水凹部、        ２９：目地プレート支持凹部、
３０：支持体、          ３１：支持体挿入凹部、
３２：傾斜面、          ３３：枢支ピン、
３４：中央バー部材。
【図１】
0003587368.tif 000002
【図２】
0003587368.tif 000003
【図３】
0003587368.tif 000004
【図４】
0003587368.tif 000005
【図５】
0003587368.tif 000006
【図６】
0003587368.tif 000007
【図７】
0003587368.tif 000008
【図８】
0003587368.tif 000009
【図９】
0003587368.tif 000010
【図１０】
0003587368.tif 000011
【図１１】
0003587368.tif 000012
【図１２】
0003587368.tif 000013
【図１３】
0003587368.tif 000014
【図１４】
0003587368.tif 000015
【図１５】
0003587368.tif 000016
【図１６】
0003587368.tif 000017
【図１７】
0003587368.tif 000018
【図１８】
0003587368.tif 000019
【図１９】
0003587368.tif 000020
【図２０】
0003587368.tif 000021